(57)【要約】  移動通信方法は、前記無線基地局が、前記無線基地局の配下に存在する複数の無線端末にそれぞれ異なる前記ページング周期を割り当てるステップを備える。
2015098746.tif 000002
【特許請求の範囲】
【請求項１】
無線基地局が、前記無線基地局から送信されるページング信号を無線端末が監視する周期であるページング周期を、前記無線基地局の配下に存在する無線端末に割り当てる移動通信方法であって、
前記無線基地局が、前記無線基地局の配下に存在する複数の無線端末にそれぞれ異なる前記ページング周期を割り当てるステップを備えることを特徴とする移動通信方法。
【請求項２】
前記無線基地局が、前記無線基地局の配下に存在する複数の無線端末と当該複数の無線端末のそれぞれに割り当てられる前記ページング周期とを対応付けるテーブルを記憶するステップをさらに備えることを特徴とする請求項１に記載の移動通信方法。
【請求項３】
前記無線基地局の配下に存在する複数の無線端末のうちの少なくとも一つの無線端末が、前記無線基地局に対して、前記ページング周期を指定するための情報を通知するステップをさらに備えることを特徴とする請求項１に記載の移動通信方法。
【請求項４】
前記無線基地局が、前記無線基地局の配下に存在する無線端末に対して、前記ページング周期を指定するための情報を前記無線基地局に通知するステップをさらに備えることを特徴とする請求項１に記載の移動通信方法。
【請求項５】
前記無線基地局が、前記ページング信号を、前記無線基地局の配下に存在する複数の無線端末のそれぞれに割り当てられたページング周期のうち、最小のページング周期で送信する送信ステップをさらに備えることを特徴とする請求項１に記載の移動通信方法。
【請求項６】
前記送信ステップにおいて、前記ページング信号には、前記最小のページング周期以外のページング周期が割り当てられた無線端末宛の情報も含まれることを特徴とする請求項５に記載の移動通信方法。
【請求項７】
自無線基地局から送信されるページング信号を無線端末が監視する周期であるページング周期を、前記無線基地局の配下に存在する無線端末に割り当てる無線基地局であって、
前記無線基地局の配下に存在する複数の無線端末にそれぞれ異なる前記ページング周期を割り当てる制御部を備えることを特徴とする無線基地局。
【発明の詳細な説明】
【技術分野】
【０００１】
本発明は、下り方向信号を監視する監視期間及び前記下り方向信号を監視しない無監視期間を有するＤＲＸ周期を構成する移動通信システムで用いる移動通信方法及び無線基地局に関する。
【背景技術】
【０００２】
従来、無線基地局から送信される下り方向信号を無線端末が監視する期間（以下、監視期間）及び無線基地局から送信される下り方向信号を無線端末が監視しない期間（以下、無監視期間）を設定するＤＲＸ（Ｄｉｓｃｏｎｔｉｎｕｏｕｓ  Ｒｅｃｅｐｔｉｏｎ）を採用する移動通信システムが知られている（例えば、非特許文献１）。例えば、このような移動通信システムとして、ＬＴＥ（Ｌｏｎｇ  Ｔｅｒｍ  Ｅｖｏｌｕｔｉｏｎ）が知られている。【０００３】
無線基地局によって管理されるセル内で同一のＤＲＸ周期が用いられる。なお、監視期間及び無監視期間によって構成されるＤＲＸ周期としては、０．３２秒、０．６４秒、１．２８秒、２．５６秒等の周期が規定されている。【０００４】
ここで、無線基地局から無線端末に下り方向信号（ここでは、ページング信号）を送信する機会は、上述した監視期間と一致するように割り当てられる。すなわち、ページング信号を送信する機会が割り当てられるページング周期は、ＤＲＸ周期と同様である。【０００５】
ところで、無線基地局によって管理されるセル内で同一のＤＲＸ周期（ページング周期）が用いられる場合には、無線端末は、自端末宛のページング信号がどの監視期間で送信されるか分からないため、自端末宛のページング信号が送信される機会が他の無線端末に比べて少なくても、全ての監視期間で自端末宛のページング信号を監視しなくてはならない。【０００６】
従って、無線基地局によって管理されるセル内で同一のＤＲＸ周期（ページング周期）が用いられると、通信機会が少ない無線端末の消費電力を十分に低減することができない。
【先行技術文献】
【非特許文献】
【０００７】
【非特許文献１】ＴＳ３６．３２１  Ｖ１０．０．０
【発明の概要】
【０００８】
第１の特徴は、無線基地局が、前記無線基地局から送信されるページング信号を無線端末が監視する周期であるページング周期を、前記無線基地局の配下に存在する無線端末に割り当てる移動通信方法であって、前記無線基地局が、前記無線基地局の配下に存在する複数の無線端末にそれぞれ異なる前記ページング周期を割り当てるステップを備えることを要旨とする。
【０００９】
第１の特徴において、前記移動通信方法は、前記無線基地局が、前記無線基地局の配下に存在する複数の無線端末と当該複数の無線端末のそれぞれに割り当てられる前記ページング周期とを対応付けるテーブルを記憶するステップをさらに備える。
【００１０】
第１の特徴において、前記移動通信方法は、前記無線基地局の配下に存在する複数の無線端末のうちの少なくとも一つの無線端末が、前記無線基地局に対して、前記ページング周期を指定するための情報を通知するステップをさらに備える。
【００１１】
第１の特徴において、前記移動通信方法は、前記無線基地局が、前記無線基地局の配下に存在する無線端末に対して、前記ページング周期を指定するための情報を前記無線基地局に通知するステップをさらに備える。
【００１２】
第１の特徴において、前記移動通信方法は、前記無線基地局が、前記ページング信号を、前記無線基地局の配下に存在する複数の無線端末のそれぞれに割り当てられたページング周期のうち、最小のページング周期で送信する送信ステップをさらに備える。
【００１３】
第１の特徴において、前記送信ステップにおいて、前記ページング信号には、前記最小のページング周期以外のページング周期が割り当てられた無線端末宛の情報も含まれる。
【００１４】
第２の特徴は、自無線基地局から送信されるページング信号を無線端末が監視する周期であるページング周期を、前記無線基地局の配下に存在する無線端末に割り当てる無線基地局であって、前記無線基地局の配下に存在する複数の無線端末にそれぞれ異なる前記ページング周期を割り当てる制御部を備えることを要旨とする。
【図面の簡単な説明】
【００１５】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係るＤＲＸを示す図である。
【図５】図５は、第１実施形態に係るＵＥ１０を示すブロック図である。
【図６】図６は、第１実施形態に係るｅＮＢ１１０を示すブロック図である。
【図７】図７は、第１実施形態に係る移動通信方法を示すシーケンス図である。
【図８】図８は、第１実施形態に係る移動通信方法を示すシーケンス図である。
【発明を実施するための形態】
【００１６】
以下において、実施形態に係る移動通信システムについて、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る移動通信方法は、無線基地局が、前記無線基地局から送信されるページング信号を無線端末が監視する周期であるページング周期を、前記無線基地局の配下に存在する無線端末に割り当てる方法である。移動通信方法は、前記無線基地局が、前記無線基地局の配下に存在する複数の無線端末にそれぞれ異なる前記ページング周期を割り当てるステップを備える。
【００１９】
実施形態では、無線基地局は、無線基地局の配下に存在する無線端末にそれぞれ異なるページング周期を割り当てる。言い換えると、無線基地局によって管理されるセル内で同一のＤＲＸ周期（ページング周期）を用いる必要がなく、自端末宛のページング信号が送信される機会が少ない無線端末の消費電力を十分に低減することができる。
【００２０】
［第１実施形態］
（移動通信システム）
以下において、第１実施形態に係る移動通信システムについて説明する。図１は、第１実施形態に係る移動通信システム１００を示す図である。
【００２１】
図１に示すように、移動通信システム１００は、無線端末１０（以下、ＵＥ１０）と、コアネットワーク５０とを含む。また、移動通信システム１００は、第１通信システムと第２通信システムとを含む。なお、移動通信システム１００は、第１通信システムと第２通信システムとを含むものに限られず、例えば、第１通信システムのみを含むものでもよいし、第２通信システムのみを含むものでもよい。
【００２２】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、無線基地局１１０（以下、ｅＮＢ１１０）と、ＭＭＥ１２０とを有する。なお、第１通信システムでは、第１ＲＡＴ（ＥＵＴＲＡＮ；Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）が用いられる。
【００２３】
第２通信システムは、例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に対応する通信システムである。第２通信システムは、無線基地局２１０（以下、ＮＢ２１０）と、ＲＮＣ２２０と、ＳＧＳＮ２３０とを有する。なお、第２通信システムでは、第２ＲＡＴ（ＵＴＲＡＮ；Ｕｎｉｖｅｒｓａｌ  Ｔｅｒｒｅｓｔｒｉａｌ  Ａｃｃｅｓｓ  Ｎｅｔｗｏｒｋ）が用いられる。
【００２４】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ｅＮＢ１１０と無線通信を行う機能を有するとともに、ＮＢ２１０と無線通信を行う機能を有する。なお、ＵＥ１０は、装置に限られず、通信モジュールであってもよい。
【００２５】
ｅＮＢ１１０は、セル１１１を有しており、セル１１１に存在するＵＥ１０と無線通信を行う装置（ｅｖｏｌｖｅｄ  ＮｏｄｅＢ）である。
【００２６】
ＭＭＥ１２０は、ｅＮＢ１１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ１２０は、コアネットワーク５０に設けられる。
【００２７】
無線基地局２１０は、セル２１１を有しており、セル２１１に存在するＵＥ１０と無線通信を行う装置（ＮｏｄｅＢ）である。
【００２８】
ＲＮＣ２２０は、無線基地局２１０に接続されており、セル２１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００２９】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３０】
なお、以下においては、第１通信システムについて主として説明する。但し、以下の記載が第２通信システムに適用されてもよい。また、セルは、ＵＥ１０と無線通信を行う機能として理解すべきである。但し、セルは、セルと通信可能な範囲を示すサービスエリアと考えてもよい。
【００３１】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３２】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）、下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）、報知チャネル（ＰＢＣＨ：Ｐｈｙｓｉｃａｌ  Ｂｒｏａｄｃａｓｔ  Ｃｈａｎｎｅｌ）などが存在する。
【００３３】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００３４】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００３５】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００３６】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００３７】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００３８】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。下り方向チャネルは、例えば、ＳＩＢ（Ｓｙｓｔｅｍ  Ｉｎｆｏｒｍａｔｉｏｎ  Ｂｌｏｃｋ）を搬送する。下り方向共有チャネルを介して送信される情報（例えば、ＳＩＢ）は、サブフレーム番号を含む。サブフレーム番号は、単位時間毎に変化する番号であり、所定周期で一巡する番号である。
【００３９】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とｅＮＢ１１０との間の送信タイミング補正情報であり、ＵＥ１０から送信される上り方向信号に基づいてｅＮＢ１１０によって測定される。
【００４０】
また、下り方向制御チャネル（ＰＤＣＣＨ）及び下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４１】
報知チャネルは、ＭＩＢ（Ｍａｓｔｅｒ  Ｉｎｆｒｏｍａｔｉｏｎ  Ｂｌｏｃｋ）を搬送する。ＭＩＢは、システムフレーム番号（ＳＦＮ）を含む。システムフレーム番号は、単位時間毎に変化する番号であり、所定周期で一巡する番号である。
【００４２】
（無線フレーム）
以下において、第１通信システムにおける無線フレームについて説明する。図２は、第１通信システムにおける無線フレームを示す図である。
【００４３】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００４４】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００４５】
（無線リソース）
以下において、第１通信システムにおける無線リソースについて説明する。図３は、第１通信システムにおける無線リソースを示す図である。
【００４６】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００４７】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００４８】
また、無線リソースは、ｅＮＢ１１０によって割当てられる。ｅＮＢ１１０は、ＣＱＩ、ＰＭＩ、ＲＩなどに基づいて、各ＵＥ１０に割当てられる。
【００４９】
（間欠受信）
以下において、間欠受信（ＤＲＸ；Ｄｉｓｃｏｎｔｉｎｕｏｕｓ  Ｒｅｃｅｐｔｉｏｎ）について説明する。図４は、間欠受信について説明するための図である。ＵＥ１０は、待ち受け状態（Ｉｄｌｅ状態）において、消費電力を抑制するために、間欠受信を設定することが可能である。ここでは、無線基地局として、ｅＮＢ１１０を例示するが、実施形態は、これに限定されるものではない。無線基地局は、無線基地局２１０であってもよい。
【００５０】
図４に示すように、ＤＲＸ周期は、ＵＥ１０が下り方向信号を監視する監視期間及び下り方向信号をＵＥ１０が監視しない無監視期間を有する。ＵＥ１０は、監視期間において下り方向信号を監視する。
【００５１】
（間欠受信）
以下において、間欠受信（ＤＲＸ；Ｄｉｓｃｏｎｔｉｎｕｏｕｓ  Ｒｅｃｅｐｔｉｏｎ）について説明する。図４は、間欠受信について説明するための図である。ＵＥ１０は、待ち受け状態（Ｉｄｌｅ状態）において、消費電力を低減するために、間欠受信を構成することが可能である。ここでは、無線基地局として、ｅＮＢ１１０を例示するが、実施形態は、これに限定されるものではない。無線基地局は、無線基地局２１０であってもよい。
【００５２】
図４に示すように、ＤＲＸ周期は、ＵＥ１０が下り方向信号を監視する監視期間及び下り方向信号をＵＥ１０が監視しない無監視期間を有する。ＵＥ１０は、監視期間において下り方向信号を監視する。
【００５３】
（無線端末）
以下において、第１実施形態に係る無線端末について説明する。図５は、第１実施形態に係るＵＥ１０を示すブロック図である。図５に示すように、ＵＥ１０は、通信部１１と、制御部１２と、記憶部１３とを有する。
【００５４】
通信部１１は、ｅＮＢ１１０（或いは、無線基地局２１０）から下り方向信号を受信する。或いは、通信部１１は、ｅＮＢ１１０（或いは、無線基地局２１０）に上り方向信号を送信する。なお、通信部１１は、例えば、アンテナ（ＭＩＭＯが用いられる場合には、複数のアンテナ）、復調部、変調部などを有する。
【００５５】
第１実施形態において、通信部１１は、ＵＥ１０が在圏するｅＮＢ１１０に対して、ページング信号を送信する機会が割り当てられるページング周期を指定するための情報を通知する。ページング周期を指定するための情報は、上述した上り方向制御チャネル（ＰＵＣＣＨ）を介して送信されてもよく、上り方向共有チャネル（ＰＵＳＣＨ）を介して送信されてもよい。ここで、ページング周期とは、ｅＮＢ１１０がページング信号を送信する周期又はｅＮＢ１１０から送信されたページング信号をＵＥ１０がページング信号を受信（監視）するために通信部を起動させる周期を指す。
【００５６】
このようなケースにおいて、ページング周期を指定するための情報は、現在のページング周期に対する相対値であってもよい。ページング周期の種類（例えば、０．３２秒、０．６４秒、１．２８秒、２．５６秒等）が定められている場合に、相対値は、現在のページング周期に対して増減すべき段階数であってもよい。或いは、相対値は、現在のページング周期に対して増減すべき秒数であってもよい。
【００５７】
或いは、ページング周期を指定するための情報は、ページング周期を特定する絶対値であってもよい。ページング周期の種類（例えば、０．３２秒、０．６４秒、１．２８秒、２．５６秒等）が定められている場合に、絶対値は、ページング周期に割り当てられたインデックスであってもよい。或いは、絶対値は、ページング周期の秒数であってもよい。
【００５８】
或いは、通信部１１は、ＵＥ１０が在圏するｅＮＢ１１０から、ページング周期を指定するための情報を受信してもよい。ページング周期を指定するための情報は、下り方向制御チャネル（ＰＤＣＣＨ）を介して受信されてもよく、下り方向共有チャネル（ＰＤＳＣＨ）を介して受信されてもよい。
【００５９】
第１実施形態において、ページング周期は、ＵＥ１０によって構成されるＤＲＸ周期と同義であると考えてよい。
【００６０】
制御部１２は、ＵＥ１０を制御する。例えば、制御部１２は、間欠受信（ＤＲＸ）を実行するよう設定された場合において、記憶部１３に記憶されたページング周期に基づいて、監視期間及び無監視期間を設定する。詳細には、制御部１２は、下り方向信号を監視する監視期間において通信部１１をオンにして（起動して）、ｅＮＢ１１０から送信される下り方向信号（例えば、ＰＤＣＣＨ）を通信部１１によって受信することで、ｅＮＢ１１０から送信される下り方向信号（例えば、ＰＤＣＣＨ）を監視する。制御部１２は、下り方向信号を監視しない無監視期間において通信部１１をオフ（スリープ）にして、ｅＮＢ１１０から送信される下り方向信号（例えば、ＰＤＣＣＨ）を通信部１１によって受信しないことで、ｅＮＢ１１０から送信される下り方向信号（例えば、ＰＤＣＣＨ）を監視しない。
【００６１】
記憶部１３は、ＵＥ１０のページング周期を記憶する。
【００６２】
（無線基地局）
以下において、第１実施形態に係る無線基地局について説明する。ここでは、無線基地局として、ｅＮＢ１１０を例示するが、実施形態は、これに限定されるものではない。無線基地局は、無線基地局２１０であってもよい。図６は、第１実施形態に係るｅＮＢ１１０を示すブロック図である。図６に示すように、ｅＮＢ１１０は、通信部１１５と、制御部１１６と、記憶部１１７とを有する。
【００６３】
通信部１１５は、ＵＥ１０から上り方向信号を受信する。或いは、通信部１１５は、ＵＥ１０に下り方向信号を送信する。なお、通信部１１５は、例えば、アンテナ、復調部、変調部などを有する。
【００６４】
第１実施形態において、通信部１１５は、ｅＮＢ１１０の配下に存在するＵＥ１０からページング周期を指定するための情報を受信する。ページング周期を指定するための情報は、上述したように、上り方向制御チャネル（ＰＵＣＣＨ）を介して受信されてもよく、上り方向共有チャネル（ＰＵＳＣＨ）を介して受信されてもよい。
【００６５】
或いは、通信部１１５は、ｅＮＢ１１０の配下に存在するＵＥ１０に対して、ページング周期を指定するための情報を通知してもよい。ページング周期を指定するための情報は、上述したように、下り方向制御チャネル（ＰＤＣＣＨ）を介して送信されてもよく、下り方向共有チャネル（ＰＤＳＣＨ）を介して送信されてもよい。例えば、ページング周期を指定するための情報は、ＳＩＢの一種であるＳＩＢ２に含まれており、ｅＮＢ１１０の配下に存在する全てのＵＥ１０に報知されてもよい。
【００６６】
このようなケースにおいて、ページング周期を指定するための情報は、ページング周期の絶対値であることが好ましい。これによって、ＵＥ１０が把握するページング周期とｅＮＢ１１０が把握するページング周期との同期をとることができる。
【００６７】
制御部１１６は、ｅＮＢ１１０を制御する。例えば、制御部１１６は、ＵＥ１０が上り方向信号を送信するためのリソース、又は、ＵＥ１０が上り方向信号を受信するためのリソースを割り当てる。
【００６８】
第１実施形態において、制御部１１６は、ｅＮＢ１１０の配下に存在するＵＥ１０毎に、ページング信号を送信する機会が割り当てられるページング周期として、異なるページング周期を割り当てる。
【００６９】
ここで、制御部１１６は、ｅＮＢ１１０の配下に存在するＵＥ１０に割り当てられるページング周期を記憶部１１７に記憶されたテーブルに登録することが好ましい。
【００７０】
制御部１１６は、ｅＮＢ１１０の配下に存在するＵＥ１０宛のページング信号を最小ページング周期で送信するように通信部１１５を制御する。最小ページング周期は、記憶部１１７に記憶されたページング周期（すなわち、ｅＮＢ１１０の配下に存在するＵＥ１０に割り当てられたページング周期）のうち、最も短いページング周期である。
【００７１】
制御部１１６は、ページング信号に対するページング応答を受信した場合に、ページング信号の送信の繰り返しを停止するように通信部１１５を制御する。
【００７２】
記憶部１１７は、ｅＮＢ１１０の配下に存在するＵＥ１０と当該ＵＥ１０に割り当てられるページング周期とを対応付けるテーブルを記憶する。ｅＮＢ１１０の配下に存在するＵＥ１０に割り当てられるページング周期は、上述したように、制御部１１６によって記憶部１１７に登録される。
【００７３】
（移動通信方法）
以下において、第１実施形態に係る移動通信方法について説明する。図７及び図８は、第１実施形態に係る移動通信方法を示すシーケンス図である。ここでは、無線基地局として、ｅＮＢ１１０を例示するが、実施形態は、これに限定されるものではない。無線基地局は、無線基地局２１０であってもよい。
【００７４】
以下においては、ページング周期として、４種類のページング周期（０．３２秒、０．６４秒、１．２８秒、２．５６秒）が定められているケースについて説明する。また、ｅＮＢ１１０によって管理されるセルでは、デフォルトのページング周期として、１．２８秒が用いられるケースについて説明する。ＵＥ１０Ａは、標準的なＵＥ１０であり、ＵＥ１０Ｂは、着信の頻度が高いと想定されるＵＥ１０であり、ＵＥ１０Ｃは、着信の頻度が低いと想定されるＵＥ１０である。
【００７５】
第１に、ページング周期を変更する処理について、図７を参照しながら説明する。
【００７６】
図７に示すように、ステップＳ１０において、ｅＮＢ１１０は、ｅＮＢ１１０の配下に存在するＵＥ１０に対して、ページング周期を指定するための情報を通知する。ここでは、ページング周期を指定するための情報は、ＳＩＢの一種であるＳＩＢ２に含まれており、ｅＮＢ１１０の配下に存在する全てのＵＥ１０（ここでは、ＵＥ１０Ａ、ＵＥ１０Ｂ及びＵＥ１０Ｃ）に報知される。ここで、通知するページング周期を指定するための情報に含まれるページング周期は、例えば、ｅＮＢ１１０において、予め全てのＵＥ１０に対して標準的なページング周期として記憶されているページング周期（デフォルトのページング周期）である。
【００７７】
ステップＳ２０において、ＵＥ１０（ここでは、ＵＥ１０Ａ、ＵＥ１０Ｂ及びＵＥ１０Ｃ）とＭＭＥ１２０（ｅＮＢ１１０）との間でＡｔｔａｃｈ処理が行われる。これによって、ＵＥ１０の位置登録処理が行われる。
【００７８】
ステップＳ３０において、ｅＮＢ１１０は、ｅＮＢ１１０の配下に存在するＵＥ１０（ここでは、ＵＥ１０Ａ、ＵＥ１０Ｂ及びＵＥ１０Ｃ）に割り当てられるページング周期を記憶部１１７に記憶されたテーブルに登録する。これによって、記憶部１１７は、ｅＮＢ１１０の配下に存在するＵＥ１０と当該ＵＥ１０に割り当てられるページング周期とを対応付けるテーブルを記憶する。ここでは、ページング周期毎に４つのグループが設けられており、ｅＮＢ１１０の配下に存在するＵＥ１０は、４つのグループのいずれかに分類される。
【００７９】
ステップＳ４０において、ＵＥ１０Ｂは、ページング周期の変更を決定する。ここでは、ＵＥ１０Ｂは、ページング周期を半分にすると決定する。ページング周期の変更の決定の手法は、ＵＥ１０Ｂにおいて予め記憶されているページング周期に基づいて決定されてもよいし、ユーザの操作によって入力されたページング周期に基づいて決定されてもよい。
【００８０】
ステップＳ４１において、ＵＥ１０Ｂは、ページング周期を指定するための情報（周期変更要求）をｅＮＢ１１０に通知する。上述したように、周期変更要求は、現在のページング周期に対する相対値であってもよく、ページング周期を特定する絶対値であってもよい。
【００８１】
ステップＳ４２において、ｅＮＢ１１０は、ＵＥ１０Ｂのページング周期の変更を許容できるか否かを判断する。ここでは、ＵＥ１０Ｂのページング周期の変更が許容されると判断されるものとして説明を続ける。従って、ｅＮＢ１１０は、ＵＥ１０Ｂのページング周期の変更を許容することを示す情報（周期変更通知）をＵＥ１０Ｂに送信する。
【００８２】
ステップＳ４３において、ＵＥ１０Ｂは、ページング周期の変更が完了したことを示す情報（周期完了通知）をｅＮＢ１１０に通知する。
【００８３】
ステップＳ４４において、ＵＥ１０Ｂ及びｅＮＢ１１０は、ＵＥ１０Ｂのページング周期を変更する。つまり、ｅＮＢ１１０は、変更されたＵＥ１０Ｂのページング周期を記憶部１１７に記憶されたテーブルに登録し、ＵＥ１０Ｂは、変更されたＵＥ１０Ｂのページング周期を記憶部１３に記憶する。これによって、ｅＮＢ１１０は、変更されたＵＥ１０Ｂのページング周期以下でＵＥ１０Ｂ宛てのページング信号を送信すると共に、ＵＥ１０Ｂは、変更されたＵＥ１０Ｂのページング周期で通信部１１を起動することになり、ＵＥ１０Ｂがページング信号を速やかに受信することができる。
【００８４】
ステップＳ５０において、ＵＥ１０Ｃは、ページング周期の変更を決定する。ここでは、ＵＥ１０Ｃは、ページング周期を現在のページング周期（デフォルトページング周期）の倍にすると決定する。ページング周期の変更の決定の手法は、ＵＥ１０Ｃにおいて予め記憶されているページング周期に基づいて決定されてもよいし、ユーザの操作によって入力されたページング周期に基づいて決定されてもよい。
【００８５】
ステップＳ５１において、ＵＥ１０Ｃは、ページング周期を指定するための情報（周期変更要求）をｅＮＢ１１０に通知する。上述したように、周期変更要求は、現在のページング周期に対する相対値であってもよく、ページング周期を特定する絶対値であってもよい。
【００８６】
ステップＳ５２において、ｅＮＢ１１０は、ＵＥ１０Ｃのページング周期の変更を許容できるか否かを判断する。ここでは、ＵＥ１０Ｃのページング周期の変更が許容されると判断されるものとして説明を続ける。従って、ｅＮＢ１１０は、ＵＥ１０Ｃのページング周期の変更を許容することを示す情報（周期変更通知）をＵＥ１０Ｃに送信する。
【００８７】
ステップＳ５３において、ＵＥ１０Ｃは、ページング周期の変更が完了したことを示す情報（周期完了通知）をｅＮＢ１１０に通知する。
【００８８】
ステップＳ５４において、ＵＥ１０Ｃ及びｅＮＢ１１０は、ＵＥ１０Ｃのページング周期を変更する。つまり、ｅＮＢ１１０は、変更されたＵＥ１０Ｃのページング周期を記憶部１１７に記憶されたテーブルに登録し、ＵＥ１０Ｃは、変更されたＵＥ１０Ｃのページング周期を記憶部１３に記憶する。これによって、ｅＮＢ１１０は、変更されたＵＥ１０Ｃのページング周期以下でＵＥ１０Ｃ宛てのページング信号を送信すると共に、ＵＥ１０Ｃは、変更されたＵＥ１０Ｃのページング周期で通信部１１を起動することになり、ＵＥ１０Ｃがページング信号を速やかに受信することができる。
【００８９】
ステップＳ６０において、ｅＮＢ１１０は、ＵＥ１０Ｂ及びＵＥ１０Ｃに割り当てられるページング周期を記憶部１１７に記憶されたテーブルに登録する。
【００９０】
第２に、ページング信号の送信について、図８を参照しながら説明する。ここでは、ｅＮＢ１１０の配下に存在するＵＥ１０Ｃ宛のページング要求及びｅＮＢ１１０の配下に存在しないＵＥ１０Ｘ宛のページング要求をｅＮＢ１１０が受信するケースについて例示する。
【００９１】
ステップＳ１１０において、ＵＥ１０Ａ、ＵＥ１０Ｂ及びＵＥ１０Ｃは、待ち受け状態（Ｉｄｌｅ状態）において、ＤＲＸ周期で間欠受信を実施している。
【００９２】
ステップＳ１２０において、ｅＮＢ１１０は、ｅＮＢ１１０の配下に存在するＵＥ１０Ｃ宛のページング要求をＭＭＥ１２０から受信する。
【００９３】
ステップＳ１３０において、ｅＮＢ１１０は、記憶部１１７に記憶されたテーブルを確認する。すなわち、ｅＮＢ１１０は、ｅＮＢ１１０の配下に存在するＵＥ１０（ここでは、ＵＥ１０Ａ、ＵＥ１０Ｂ及びＵＥ１０Ｃ）に割り当てられるページング周期を確認する。
【００９４】
ここで、ｅＮＢ１１０は、ｅＮＢ１１０の配下に存在するＵＥ１０宛のページング信号を最小ページング周期で送信することを決定する。最小ページング周期は、記憶部１１７に記憶されたページング周期（すなわち、ｅＮＢ１１０の配下に存在するＵＥ１０に割り当てられたページング周期）のうち、最も短いページング周期である。ここでは、最小ページング周期は、０．３２秒である。
【００９５】
ステップＳ１４０において、ｅＮＢ１１０は、ＵＥ１０Ｃ宛のページング信号を報知（送信）する。ここで、ＵＥ１０Ｂは、ＵＥ１０Ｂに割り当てられたページング周期（最小のページング周期）に到達したため、通信部１１を起動して、監視期間においてＵＥ１０Ｃ宛のページング信号を受信する。但し、ＵＥ１０Ｂは、ページング信号が自端末宛ではないため、受信したＵＥ１０Ｃ宛のページング信号を破棄する。
【００９６】
ステップＳ１５０において、ｅＮＢ１１０は、ｅＮＢ１１０の配下に存在しないＵＥ１０Ｘ宛のページング要求をＭＭＥ１２０から受信する。
【００９７】
ステップＳ１６０において、ｅＮＢ１１０は、ＵＥ１０Ｃ宛のページング信号を報知（再送）すると共にＵＥ１０Ｘ宛のページング信号を報知（送信）する。ここで、ＵＥ１０Ａは、ＵＥ１０Ａに割り当てられたページング周期（デフォルトのページング周期）に到達し、ＵＥ１０Ｂは、ＵＥ１０Ｂに割り当てられたページング周期（最小のページング周期）に到達したため、ＵＥ１０Ａ及びＵＥ１０Ｂは、通信部１１を起動して、監視期間においてＵＥ１０Ｃ宛のページング信号及びＵＥ１０Ｘ宛のページング信号を受信する。但し、ＵＥ１０Ａ及びＵＥ１０Ｂは、ページング信号が自端末宛ではないため、受信したＵＥ１０Ｃ宛のページング信号及びＵＥ１０Ｘ宛のページング信号を破棄する。
【００９８】
ここで、ページングエリアは、他のｅＮＢ１１０によって管理されるセルを含むため、ｅＮＢ１１０は、ＵＥ１０Ｘ宛のページング信号も報知する必要があることに留意すべきである。
【００９９】
ステップＳ１７０において、ｅＮＢ１１０は、ＵＥ１０Ｃ宛のページング信号を報知（再々送）すると共にＵＥ１０Ｘ宛のページング信号を報知（再送）する。ここで、ＵＥ１０Ｂは、ＵＥ１０Ｂに割り当てられたページング周期（最小のページング周期）に到達し、ＵＥ１０Ｃは、ＵＥ１０Ｃに割り当てられたページング周期（最大のページング周期）に到達したため、ＵＥ１０Ｂ及びＵＥ１０Ｃは、通信部１１を起動して、監視期間においてＵＥ１０Ｃ宛のページング信号及びＵＥ１０Ｘ宛のページング信号を受信する。ＵＥ１０Ｂは、ページング信号が自端末宛ではないため、受信したＵＥ１０Ｃ宛のページング信号及びＵＥ１０Ｘ宛のページング信号を破棄する。一方で、ＵＥ１０Ｃは、受信したＵＥ１０Ｃ宛のページング信号を破棄せずに、受信したＵＥ１０Ｘ宛のページング信号のみを破棄する。
【０１００】
ステップＳ１８０において、ＵＥ１０Ｃは、ＵＥ１０Ｃ宛のページング信号に応じて、ページング応答をｅＮＢ１１０に送信する。ｅＮＢ１１０は、ページング応答の受信に応じて、ＵＥ１０Ｃ宛のページング信号の送信の繰り返しを停止する。
【０１０１】
ステップＳ１９０において、ｅＮＢ１１０は、ＵＥ１０Ｃから受信したページング応答をＭＭＥ１２０に送信する。
【０１０２】
（作用及び効果）
第１実施形態では、ｅＮＢ１１０は、ｅＮＢ１１０の配下に存在するＵＥ１０毎に、ページング信号を送信する機会が割り当てられるページング周期として、異なるページング周期を割り当てる。言い換えると、ｅＮＢ１１０によって管理されるセル内で同一のＤＲＸ周期（ページング周期）を用いる必要がなく、自端末宛のページング信号が送信される機会が少ないＵＥ１０の消費電力を十分に低減することができる。
【０１０３】
また、ｅＮＢ１１０によって管理されるセルで定められたデフォルトのページング周期よりも短いページング周期でページング信号を受信したいＵＥ１０に対しては、ページング周期を短縮することもできる。
【０１０４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０５】
実施形態では、ＵＥ１０のトリガーでページング周期が変更される。しかしながら、実施形態は、これに限定されるものではない。すなわち、ｅＮＢ１１０のトリガーでページング周期が変更されてもよい。
【０１０６】
実施形態では、ステップＳ４２又はステップＳ５２において、ＵＥ１０のページング周期の変更が許容されるケースについて例示した。しかしながら、ＵＥ１０のページング周期の変更が許容されないと判断された場合には、ｅＮＢ１１０は、ページング周期の変更を許容しないことを示す情報（周期変更拒否）をＵＥ１０に送信してもよい。
【０１０７】
実施形態では特に触れていないが、待ち受け状態（Ｉｄｌｅ状態）から接続状態（Ｃｏｎｎｅｃｔｅｄ状態）に遷移した後に再び待ち受け状態（Ｉｄｌｅ状態）に遷移した場合に、変更後のページング周期が引き継がれてもよい。
【０１０８】
実施形態では特に触れていないが、ステップＳ４１〜ステップＳ４３（又は、ステップＳ４１〜ステップＳ４３）で用いる情報要素は、ＲＲＣコネクション再設定手順で用いるメッセージに含まれてもよい。すなわち、ページング周期の変更は、ＲＲＣコネクション再設定手順で行われてもよい。
【０１０９】
上述した実施形態の特徴は、以下のように表現されてもよい。
【０１１０】
第１の特徴は、無線端末と無線基地局との間において、下り方向信号を監視する監視期間及び前記下り方向信号を監視しない無監視期間を有するＤＲＸ周期を構成する移動通信方法であって、前記無線基地局が、前記無線基地局の配下に存在する無線端末毎に、ページング信号を送信する機会が割り当てられるページング周期として、異なるページング周期を割り当てるステップを備えることを要旨とする。
【０１１１】
第１の特徴において、前記無線基地局は、前記無線基地局の配下に存在する無線端末と当該無線端末に割り当てられる前記ページング周期とを対応付けるテーブルを記憶するステップを備える。
【０１１２】
第１の特徴において、移動通信方法は、前記無線基地局の配下に存在する無線端末から前記無線基地局に対して、前記ページング周期を指定するための情報を通知するステップを備える。
【０１１３】
第１の特徴において、移動通信方法は、前記無線基地局から前記無線基地局の配下に存在する無線端末に対して、前記ページング周期を指定するための情報を前記無線基地局に通知するステップを備える。
【０１１４】
第１の特徴において、移動通信方法は、前記無線基地局が、前記無線基地局の配下に存在する無線端末宛のページング信号を、前記無線基地局の配下に存在する無線端末に割り当てられた最小ページング周期で送信するステップを備える。
【０１１５】
第２の特徴は、下り方向信号を監視する監視期間及び前記下り方向信号を監視しない無監視期間を有するＤＲＸ周期を構成する移動通信システムで用いる無線基地局であって、前記無線基地局の配下に存在する無線端末毎に、ページング信号を送信する機会が割り当てられるページング周期として、異なるページング周期を割り当てる制御部を備えることを要旨とする。
【０１１６】
なお、日本国特許出願第２０１３−２６６１７２号（２０１３年１２月２４日出願）の全内容が、参照により、本願明細書に組み込まれている。
【産業上の利用可能性】
【０１１７】
実施形態によれば、自端末宛のページング信号が送信される機会が少ない無線端末の消費電力を十分に低減することを可能とする移動通信システム及び無線基地局を提供することができる。
【図１】
2015098746.tif 000003
【図２】
2015098746.tif 000004
【図３】
2015098746.tif 000005
【図４】
2015098746.tif 000006
【図５】
2015098746.tif 000007
【図６】
2015098746.tif 000008
【図７】
2015098746.tif 000009
【図８】
2015098746.tif 000010
【国際調査報告】
2015098746.tif 000011
2015098746.tif 000012